(57)【要約】  医用画像についての確認を容易とする。  医用画像システムにおいて、電子カルテ端末は、画像サーバに保存された医用画像に関するオーダ情報を生成して記憶する。その後、オーダ情報に従って生成された医用画像は画像サーバに保存される。画像サーバではオーダ情報を基とする医用画像に関する情報を付帯情報として医用画像に付帯させて医用画像を管理する。電子カルテ端末は画像サーバから前記医用画像及び付帯情報を取得すると、取得された医用画像の付帯情報と、前記記憶された医用画像の指示情報とを用いて、前記取得された医用画像が前記指示情報に応じた医用画像であるか否かを判断し、判断結果を出力する。
2008090676.tif 000002
【特許請求の範囲】
【請求項１】
医用画像をその医用画像に関する付帯情報と対応付けて保存する画像サーバと、電子カルテを作成する電子カルテ端末と、を含む医用画像システムにおいて、
前記電子カルテ端末は、
前記画像サーバに保存された医用画像に関するオーダ情報を記憶する記憶手段と、
前記画像サーバから前記医用画像及び付帯情報を取得する取得手段と、
前記取得された医用画像の付帯情報と、前記記憶された医用画像のオーダ情報とを用いて、前記取得された医用画像が前記オーダ情報に応じた医用画像であるか否かを判断し、その判断結果を出力する判断制御手段と、
を備えることを特徴とする医用画像システム。
【請求項２】
前記電子カルテ端末は、
医用画像を表示するための表示手段と、
前記判断制御手段により前記取得された医用画像が前記オーダ情報に応じた医用画像であると判断された場合、当該医用画像を前記表示手段上に表示させる表示制御手段と、
を備えることを特徴とする請求項１に記載の医用画像システム。
【請求項３】
前記表示制御手段は、前記取得された医用画像とともにその付帯情報を表示させることを特徴とする請求項２に記載の医用画像システム。
【請求項４】
前記電子カルテ端末は、
前記取得された医用画像の画像処理を行う画像処理手段を備え、
前記表示制御手段は、前記画像処理された医用画像を前記表示手段上に表示させることを特徴とする請求項２又は３に記載の医用画像システム。
【請求項５】
前記取得手段は、前記医用画像をＷｅｂ通信のプロトコルにより取得することを特徴とする請求項１〜４の何れか一項に記載の医用画像システム。
【請求項６】
前記画像サーバは、前記医用画像の読影レポートを当該医用画像の付帯情報に対応付けて記憶し、
前記電子カルテ端末において、
前記取得手段は、前記医用画像とともに対応する読影レポートを前記画像サーバから取得し、
前記判断制御手段は、前記取得された読影レポートの付帯情報と、前記オーダ情報とを用いて、当該読影レポートが前記オーダ情報に応じた読影レポートであるか否かを判断し、その判断結果を出力することを特徴とする請求項１に記載の医用画像システム。
【請求項７】
前記電子カルテ端末において、
読影レポートを表示するための表示手段と、
前記判断制御手段により前記取得された読影レポートが前記オーダ情報に応じた読影レポートであると判断された場合、当該医用画像を前記表示手段上に表示させる表示制御手段と、
を備えることを特徴とする請求項６に記載の医用画像システム。
【請求項８】
電子カルテを作成する電子カルテ端末において、
医用画像に関する付帯情報と対応付けて画像サーバに保存された医用画像に関するオーダ情報を記憶する記憶手段と、
前記画像サーバから前記医用画像及び付帯情報を取得する取得手段と、
前記取得された医用画像の付帯情報と、前記記憶された医用画像のオーダ情報とを用いて、前記取得された医用画像が前記オーダ情報に応じた医用画像であるか否かを判断し、その判断結果を出力する判断制御手段と、
を備えることを特徴とする電子カルテ端末。
【請求項９】
コンピュータを、
医用画像に関する付帯情報と対応付けて画像サーバに保存された医用画像に関するオーダ情報を記憶手段に記憶させる記憶制御手段、
前記画像サーバから前記医用画像及び付帯情報を取得する取得手段、
前記取得された医用画像の付帯情報と、前記記憶手段に記憶された医用画像のオーダ情報とを用いて、前記取得された医用画像が前記オーダ情報に応じた医用画像であるか否かを判断し、その判断結果を出力する判断制御手段、
として機能させるためのプログラム。
【発明の詳細な説明】
【技術分野】
【０００１】
本発明は、医用画像を提供する医用画像システム、医用画像の提供を受ける電子カルテ端末及びそのプログラムに関する。
【背景技術】
【０００２】
医療機関では、放射線部門等で得られた医用画像や読影レポート等を電子データで保存、管理する画像サーバと、電子カルテの作成が可能な電子カルテ機能を搭載した端末（以下、電子カルテ端末という）との連携により、診療部門の医師が放射線部門が保持する医用画像や読影レポート等を直接的に参照することが可能となっている（例えば、特許文献１参照）。【０００３】
画像サーバでは、医用画像はＤＩＣＯＭ（Digital Imaging and Communication in Medicine）規格に従って保存、管理されているが、電子カルテ端末に提供される医用画像は、電子カルテ端末の電子カルテ機能によって簡易に参照できるように、ＪＰＥＧやＰＤＦといったデータに変換されてＷｅｂ通信により提供に付されていた。ＪＰＥＧやＰＤＦといったデータはデータ量が少なく、汎用性のあることから、電子カルテ端末ではＷｅｂブラウザのような汎用ブラウザ上で医用画像等を表示させることが可能である。
【特許文献１】特開平１０−７９７７０号公報
【発明の開示】
【発明が解決しようとする課題】
【０００４】
電子カルテ機能においては、主に所見や診察結果等を示す文字情報を扱い、医用画像や読影レポート等は副次的なものとして、ＪＰＥＧによる圧縮画像やＰＤＦによる読影レポートの印刷イメージを電子カルテに貼り付けて管理しているに過ぎない。近年では、電子カルテにおいてただ単に医用画像を参照するだけではなく、参照に適した状態で画像を参照したいという医師の要望がある。しかしながら、電子カルテ端末ではＪＰＥＧやＰＤＦのデータを受け取っているため、これらのデータを用いては画像処理をすることができない。【０００５】
また、ＤＩＣＯＭ規格の医用画像では当該医用画像を個々に特定するための各種情報（例えば、撮影対象となった患者情報や撮影、検査、画像自体に関する情報）が付帯されているが、ＪＰＥＧやＰＤＦのデータにはそのような付帯情報はない。よって、電子カルテ端末では医用画像に関する情報がなく、どういう撮影条件で撮影された医用画像なのか等、診療にあたり必要な情報を得ることができなかった。【０００６】
また、Ｗｅｂ通信において、所望の患者のＪＰＥＧ、ＰＤＦのファイルをＵＲＬによって指定するだけでは、ＵＲＬ情報の誤りがあった場合や誤って異なる患者のＪＰＥＧ等が指定された場合等にも、それを単に受け取って参照する医師には医用画像が所望の患者本人のものかどうかの確認もできなかった。【０００７】
本発明の課題は、医用画像についての確認を容易とすることである。
【課題を解決するための手段】
【０００８】
請求項１に記載の発明は、
医用画像をその医用画像に関する付帯情報と対応付けて保存する画像サーバと、電子カルテを作成する電子カルテ端末と、を含む医用画像システムにおいて、
前記電子カルテ端末は、
前記画像サーバに保存された医用画像に関するオーダ情報を記憶する記憶手段と、
前記画像サーバから前記医用画像及び付帯情報を取得する取得手段と、
前記取得された医用画像の付帯情報と、前記記憶された医用画像のオーダ情報とを用いて、前記取得された医用画像が前記オーダ情報に応じ医用画像であるか否かを判断し、その判断結果を出力する判断制御手段と、
を備えることを特徴とする。【０００９】
請求項２に記載の発明は、請求項１に記載の医用画像システムにおいて、
前記電子カルテ端末は、
医用画像を表示するための表示手段と、
前記判断制御手段により前記取得された医用画像が前記オーダ情報に応じた医用画像であると判断された場合、当該医用画像を前記表示手段上に表示させる表示制御手段と、
を備えることを特徴とする。【００１０】
請求項３に記載の発明は、請求項２に記載の医用画像システムにおいて、
前記表示制御手段は、前記取得された医用画像とともにその付帯情報を表示させることを特徴とする。【００１１】
請求項４に記載の発明は、請求項２又は３に記載の医用画像システムにおいて、
前記電子カルテ端末は、
前記取得された医用画像の画像処理を行う画像処理手段を備え、
前記表示制御手段は、前記画像処理された医用画像を前記表示手段上に表示させることを特徴とする。【００１２】
請求項５に記載の発明は、請求項１〜４の何れか一項に記載の医用画像システムにおいて、
前記取得手段は、前記医用画像をＷｅｂ通信のプロトコルにより取得することを特徴とする。【００１３】
請求項６に記載の発明は、請求項１に記載の医用画像システムにおいて、
前記画像サーバは、前記医用画像の読影レポートを当該医用画像の付帯情報に対応付けて記憶し、
前記電子カルテ端末において、
前記取得手段は、前記医用画像とともに対応する読影レポートを前記画像サーバから取得し、
前記判断制御手段は、前記取得された読影レポートの付帯情報と、前記オーダ情報とを用いて、当該読影レポートが前記オーダ情報に応じた読影レポートであるか否かを判断し、その判断結果を出力することを特徴とする。【００１４】
請求項７に記載の発明は、請求項６に記載の医用画像システムにおいて、
前記電子カルテ端末において、
読影レポートを表示するための表示手段と、
前記判断制御手段により前記取得された読影レポートが前記オーダ情報に応じた読影レポートであると判断された場合、当該医用画像を前記表示手段上に表示させる表示制御手段と、
を備えることを特徴とする。【００１５】
請求項８に記載の発明は、
電子カルテを作成する電子カルテ端末において、
医用画像に関する付帯情報と対応付けて画像サーバに保存された医用画像に関するオーダ情報を記憶する記憶手段と、
前記画像サーバから前記医用画像及び付帯情報を取得する取得手段と、
前記取得された医用画像の付帯情報と、前記記憶された医用画像のオーダ情報とを用いて、前記取得された医用画像が前記オーダ情報に応じた医用画像であるか否かを判断し、その判断結果を出力する判断制御手段と、
を備えることを特徴とする。【００１６】
請求項９に記載の発明は、
コンピュータを、
医用画像に関する付帯情報と対応付けて画像サーバに保存された医用画像に関するオーダ情報を記憶手段に記憶させる記憶制御手段、
前記画像サーバから前記医用画像及び付帯情報を取得する取得手段、
前記取得された医用画像の付帯情報と、前記記憶手段に記憶された医用画像のオーダ情報とを用いて、前記取得された医用画像が前記オーダ情報に応じた医用画像であるか否かを判断し、その判断結果を出力する判断制御手段、
として機能させるためのプログラムである。
【発明の効果】
【００１７】
請求項１、８、９に記載の発明によれば、医用画像が依頼した患者のものであるかどうか、その医用画像の真偽を容易に確認することができる。また、オーダ情報によって指示した通りの医用画像が得られたかどうかを容易に確認することができる。【００１８】
請求項２に記載の発明によれば、医師に対し真の医用画像と判断されたもののみ提供することができる。よって、患者の取り違え等を防止することができる。【００１９】
請求項３に記載の発明によれば、医用画像とともに付帯情報も医師に提供することができる。これにより、医師は表示された医用画像に関する情報を容易に把握することができ、診察に有効に利用することが可能となる。【００２０】
請求項４に記載の発明によれば、電子カルテ端末において画像処理が可能となり、医師が所望する画像状態とすることができる。よって、見やすい画像状態として診察を行うことができ、効率的である。【００２１】
請求項５に記載の発明によれば、汎用的なＷｅｂ通信のプロトコルにより医用画像を取得することができる。通常、医用画像の取り扱う場合にはＤＩＣＯＭに準拠したシステムを構築するが、この発明によれば既存のシステム構成で対応することが可能となる。【００２２】
請求項６に記載の発明によれば、電子カルテ端末において医師は読影レポートを容易に参照することが可能となる。また、読影レポートの真偽、指示に従って作成されたか否かを容易に確認することができる。【００２３】
請求項７に記載の発明によれば、医師に対し真の読影レポートと判断されたもののみ提供することができる。よって、患者や医用画像の取り違え等を防止することができる。
【図面の簡単な説明】
【００２４】
【図１】本実施形態における医用画像システムの構成を示す図である。
【図２】図１の画像サーバの構成を示す図である。
【図３】図１の電子カルテ端末の構成を示す図である。
【図４】医用画像システムにおける処理の流れを説明するフローチャートである。
【図５】ＤＩＣＯＭに対応した医用画像の生成について説明する図である。
【図６Ａ】医用画像の付帯情報例を示す図である。
【図６Ｂ】医用画像の付帯情報例を示す図である。
【図６Ｃ】医用画像の付帯情報例を示す図である。
【図６Ｄ】医用画像の付帯情報例を示す図である。
【図６Ｅ】医用画像の付帯情報例を示す図である。
【図７】電子カルテの作成画面例を示す図である。
【発明を実施するための最良の形態】
【００２５】
まず、構成を説明する。
図１に、本実施形態における医用画像システム１を示す。
医用画像システム１は、画像サーバ１０と、読影端末２０、モダリティ３０とがネットワークＮ１を介して接続された第１のシステムと、画像サーバ１０と、電子カルテ端末４０とがネットワークＮ２を介して接続された第２のシステムを含んでいる。第１のシステムは医用画像の読影を主に行う読影医によって利用され、第２のシステムは読影結果を用いて診察を行う参照医によって利用される。【００２６】
まず、第１のシステムについて説明する。
画像サーバ１０は、モダリティ３０において撮影により生成された撮影画像から、ＤＩＣＯＭ対応の医用画像を生成し、これを保存、管理するものである。また、読影端末２０において生成された読影レポートも同様に保存する。【００２７】
図２に、画像サーバ１０の構成を示す。
図２に示すように、画像サーバ１０は、制御部１１、通信部１２、記憶部１３、保存用ＤＢ（Data Base）１４を備えて構成されている。【００２８】
制御部１１は、記憶部１３に記憶されている制御プログラムとの協働により、各部の集中制御、各種演算を行う。
制御部１１は、電子カルテ端末４０から送信されるオーダ情報を用いて医用画像の一元管理を行う。オーダ情報については後述する。【００２９】
通信部１２は、通信用のインターフェイスを備え、ネットワークＮ１、Ｎ２上の各装置と通信を行う。なお、読影端末２０に医用画像を配信する際にはＤＩＣＯＭによる通信プロトコルを採用し、電子カルテ端末４０に医用画像等を配信する際にはＨＴＴＰ等の汎用のＷｅｂ通信用のプロトコルを採用する。【００３０】
記憶部１３は、制御プログラム、当該プログラムの実行に必要なパラメータやファイル等を記憶している。【００３１】
保存用ＤＢ１４は、大容量メモリからなり、医用画像の他、読影レポートを記憶している。【００３２】
読影端末２０は、読影医の読影に供するため医用画像を表示するものである。読影端末２０としては、医用画像の閲覧用ソフトウェアを組み込んだＰＣ（パーソナルコンピュータ）等が挙げられる。すなわち、読影端末２０は、制御部、操作部、表示部、通信部、記憶部等を備えて構成されている。【００３３】
また、読影端末２０は、読影レポート作成機能を有している。読影時には、画像サーバ１０から取得した医用画像を表示させるだけでなく、読影レポートの作成画面を表示させ、当該作成画面において入力された情報を読影レポートとする。【００３４】
モダリティ３０は、検査撮影により撮影画像を生成するものである。モダリティ３０としては、例えばＣＲ（Computed Radiography）装置やＭＲＩ（Magnetic Resonance Imaging）装置、ＣＴ（Computed Tomography）装置等が挙げられる。【００３５】
次に、第２のシステムについて説明する。
第２のシステムでは、画像サーバ１が保存している医用画像、読影レポートを電子カルテ端末４０に提供する。【００３６】
電子カルテ端末４０は、電子カルテを作成する電子カルテ機能を有し、併せて参照医の診察に供するため医用画像、読影レポートの表示を行う。また、電子カルテ端末４０では、医用画像に関するオーダ情報を生成し、これを画像サーバ１０に送信することで医用画像の撮影条件や読影条件等を指定することが可能な構成となっている。【００３７】
図３に、電子カルテ端末４０の構成を示す。
図３に示すように、電子カルテ端末４０は、制御部４１、操作部４２、表示部４３、通信部４４、記憶部４５、参照用ＤＢ４６を備えて構成されている。【００３８】
制御部４１は、ＣＰＵ、ＲＡＭ等から構成され、記憶部４５に記憶されている電子カルテ作成用の制御プログラム等のプログラムとの協働により、各部の集中制御、各種演算を行う。例えば、制御部４１は電子カルテプログラムとの協働により電子カルテの作成処理を行う。また、画像処理プログラムとの協働により医用画像に各種画像処理を施す。【００３９】
操作部４２は、マウスやキーボード等を備えて構成され、これらの操作に応じた操作信号を生成して制御部４１に出力する。
表示部４３は、ディスプレイを備え、制御部４１の制御に従って当該ディスプレイ上に医用画像の表示画面や電子カルテの作成画面等の各種操作画面を表示する。【００４０】
通信部４４は、通信用のインターフェイスを備え、ネットワークＮ１上の画像サーバ１０等と通信を行う。
記憶部４５は、上記制御プログラムやその実行に必要なパラメータやファイル等を記憶している。【００４１】
参照用ＤＢ４６は、参照用に取得した医用画像や読影レポート、作成した電子カルテ等を記憶するためのメモリである。【００４２】
次に、上記医用画像システム１の動作について説明する。
図４は、医用画像システム１の電子カルテ端末４０と画像サーバ１０とで行われる処理の流れを説明するフローチャートである。
まず、電子カルテ端末４０において制御部４１により電子カルテプログラムを起動し、電子カルテの作成画面を表示部４３上に表示する。そして、この作成画面において撮影対象の患者の選択を行う（ステップＳ１）。電子カルテの作成画面には、診察を受ける患者に関する情報を入力するための項目、検査撮影の有無を選択する項目が表示されるので、参照医はこの入力項目に情報入力を行うことで患者の選択及び検査撮影の指定が可能である。【００４３】
検査撮影が指定されると、制御部４１は検査撮影に関する指定条件、読影に関する指定条件等、検査撮影で得るべき医用画像に関するオーダ情報を入力する設定画面を表示させる。検査撮影に関する指定条件とは、例えば撮影日時、撮影部位、撮影方向、造影剤の有無等を指定する条件である。また、読影に関する指定条件とは、例えば読影医の指定や、特に注目して見て欲しい検査部位等の情報である。
指定条件が入力されると、その入力情報に基づいて制御部４１はオーダ情報を生成する（ステップＳ２）。【００４４】
オーダ情報とは、医用画像の撮影から生成、読影に至るまでの一連の処理、作業に関しての指示情報をいい、例えば医用画像を撮影する患者や医用画像の読影を担当する医師等を指定する指示情報を含んでいる。図６Ａ〜図６Ｅは、医用画像に付帯される情報の一例を示す図である。図６Ａ、図６Ｂに示すように、オーダ情報には患者基本情報Ｈ１、検査情報Ｈ２等が含まれる。患者基本情報Ｈ１は撮影対象の患者に関する指示情報（例えば、撮影すべき患者の氏名等）であり、検査情報Ｈ２は検査撮影や読影に関する指示情報（例えば、撮影を行うべき検査日付、読影の担当として指定した医師の読影担当医師名等）である。【００４５】
その他、図６Ｃ〜図６Ｅに示すシリーズ情報Ｈ３、画像詳細情報Ｈ４、レポート詳細情報Ｈ５は、オーダ情報の発行後に撮影や読影の過程で生成される情報であり、オーダ情報とともに撮影画像に付帯されることとなる情報群である（情報の付帯については後述する）。シリーズ情報Ｈ３は一連の検査に得られる関連画像等に関する情報（例えば、検査に用いたモダリティ等）であり、画像詳細情報Ｈ４は医用画像の生成条件に関する情報（例えば、画像タイプ等）、レポート詳細情報Ｈ５は読影レポートに関する情報（例えば、読影レポートの作成を担当したレポート担当医師名等）である。
各情報Ｈ１〜Ｈ５にはそれぞれ識別情報として患者情報ＬＩＤ、検査情報ＬＩＤ、シリーズ情報ＬＩＤ、画像詳細情報ＬＩＤ、レポート詳細情報ＬＩＤが付され、さらに一連の情報Ｈ１〜Ｈ５を識別する情報としてＳＯＰインスタンスＵＩＤが付されている。これらのＩＤ情報を他の情報Ｈ１〜Ｈ５内に含ませることにより、情報Ｈ１〜Ｈ５相互の関連付けがなされている。【００４６】
このオーダ情報がその後の検査撮影、読影時に技師や読影医によって参照され、その指示に従って撮影作業、医用画像の生成処理、読影作業等が行われるので、参照医は所望の医用画像を得ることができる。
生成されたオーダ情報は、制御部４１の制御によって記憶部４５に記憶されるとともに、ネットワークＮ２を介して画像サーバ１０及び図示しないＲＩＳ（Radiology Information System；放射線科情報システム）に送信される。ＲＩＳではモダリティ３０へオーダ情報を配信し、モダリティ３０ではオーダ情報の表示等を行う。この表示されたオーダ情報を技師が参照し、指定された撮影条件、生成条件をモダリティ３０に設定して撮影を行う。【００４７】
モダリティ３０ではオーダ情報により指定された撮影条件で撮影を行うと、モダリティ３０は指定された生成条件で撮影画像を生成する。生成した撮影画像は画像サーバ１０に転送される。【００４８】
画像サーバ１０では制御部１１において、オーダ情報に基づいてモダリティ３０から取得された撮影画像から、ＤＩＣＯＭ対応の医用画像を生成し、これを保存用ＤＢ１４に保存する（ステップＳ３）。ＤＩＣＯＭでは、異なる機器間における医用画像の互換性を持たせるため、医用画像に関する情報を医用画像に付帯させるにあたり、その情報の内容や形式に共通規定をおいている。ＤＩＣＯＭ対応の医用画像とは、この規定に従って作成された医用画像をいう。【００４９】
図５を参照して制御部１１によるＤＩＣＯＭ対応の医用画像の生成過程について説明する。
まず、制御部１１はオーダ情報に基づいて付帯情報を生成する。付帯情報はオーダ情報に上述したシリーズ情報、画像詳細情報を追加したものである。図６Ａ〜図６Ｅに示す例で説明すると、付帯情報は患者基本情報Ｈ１（氏名、生年月日）、検査情報Ｈ２（検査日時、検査の依頼医師名、技師名等）、シリーズ情報Ｈ３（モダリティ、患者位置、検査部位等）、画像詳細情報Ｈ４（撮影画像の割当ビット数、圧縮率等）等からなる。なお、シリーズ情報、画像詳細情報はモダリティ３０において撮影画像の生成時に作成し、画像サーバ１０がこれを撮影画像とともに取得することとする。【００５０】
次いで、制御部１１はモダリティ３０から得られた撮影画像にこの付帯情報を付帯させ、これをＤＩＣＯＭ対応の医用画像とする。生成された医用画像は保存用ＤＢ１４に保存される。保存用ＤＢ１４内の医用画像はその付帯情報によって個々に特定され、管理されることとなる。【００５１】
このように画像サーバ１０において管理下におかれた医用画像は、読影端末２０への提供に付される。画像サーバ１０の制御部１１は、保存用ＤＢ１４に保存された医用画像を読影端末２０に配信する。読影端末２０では、配信された医用画像を表示し、読影医の読影に付すとともに、当該医用画像の付帯情報、例えば読影に関する指示情報等を表示する。また、読影端末２０では読影レポートの作成画面を表示する。読影医は読影端末２０において表示された医用画像を読影し、その所見等を作成画面において入力すればよい。読影端末２０では、作成画面における入力に基づいて読影レポートを生成し、これを画像サーバ１０に送信する。このとき、読影レポートがどの検査分の医用画像に対して作成されたものであるかを特定するための特定情報（例えば患者ＵＩＤと検査ＵＩＤ等）を読影レポートと対応付けて送信することとする。【００５２】
画像サーバ１０では、特定情報に基づいて読影端末２０から受信された読影レポートがどの医用画像に対応するかを判断した後、当該読影レポートと医用画像とを対応付けて保存用ＤＢ１４に保存する（ステップＳ５）。読影レポートと医用画像との対応付けは医用画像の付帯情報を用いて行う。すなわち、図５に示すように読影レポートにも対象となった医用画像と同一の付帯情報を付帯させる。またこのとき、レポート詳細情報Ｈ５を付帯情報に追加させる。これにより、読影レポートもＤＩＣＯＭ対応のものとなる。なお、レポート詳細情報Ｈ５は読影端末２０において読影レポートの作成時に作成し、画像サーバ１０は読影レポートとともにこのレポート詳細情報Ｈ５を取得するものとする。【００５３】
ここまでの処理が第１のシステムにおける処理である。上述したように、第１のシステムでは医用画像の生成、読影までを担うこととなる。
画像サーバ１０に保存された医用画像及び読影レポートは、電子カルテ端末４０に配信され、参照医の診察に供されることとなる。これが第２のシステムである。【００５４】
まず、電子カルテ端末４０からの要求に応じて、画像サーバ１０では要求された医用画像及び読影レポートを制御部１１が保存用ＤＢ１４から読み出してこれを電子カルテ端末４０に配信する制御を行う（ステップＳ５）。このとき、対応する医用画像及び読影レポートには同一内容の付帯情報が付帯されている。また、配信時の電子カルテ端末４０の通信部４４と画像サーバ１０の通信部１２間の通信プロトコルはＤＩＣＯＭではなく、ＨＴＴＰ（HyperText Transfer Protocol）、ＦＴＰ（File Transfer Protocol）等の汎用のＷｅｂ通信によるものである。【００５５】
電子カルテ端末４０では、制御部４１が記憶部４４からオーダ情報を読み出し、このオーダ情報と、画像サーバ１０から配信された医用画像の付帯情報とを照合して医用画像がオーダ情報に応じたものであるか否かを判断する（ステップＳ６）。照合は全ての項目について行う必要はなく、例えば患者ＩＤ、患者氏名、検査ＩＤ等の医用画像の特定に必要な項目のみ抽出して照合すればよい。医用画像がオーダ情報に従って撮影、生成されたものであれば、その付帯情報はオーダ情報を元に生成されるため、両者の情報の内容は一致するはずである。一方、誤って要求した患者と異なる患者の医用画像は配信された場合、患者ＩＤ等の多くの項目において不一致となるはずである。【００５６】
オーダ情報と付帯情報とが不一致であった場合には（ステップＳ６；不一致）、配信された医用画像は要求した患者のものではないと判断し、その判断結果として制御部４１はその旨を通知するエラーメッセージを表示部４３上に表示させる（ステップＳ７）。
一方、オーダ情報と付帯情報とが一致する場合（ステップＳ６；一致）、配信された医用画像は要求した患者のものであると判断できるので、制御部４１は医用画像がオーダ情報に応じたものであるとの判断結果を示すものとして、当該医用画像及び付帯情報を表示部４３上に表示させる（ステップＳ８）。【００５７】
図７に、その表示例を示す。
図７に示すように、医用画像及びその付帯情報はカルテ作成画面ｄ１上に表示される。
カルテ作成画面ｄ１は、カルテの入力領域ｄ１１と医用画像の表示領域ｄ１２からなる。カルテの入力領域はさらにカルテ１領域ｄ１１１、カルテＢ領域ｄ１１２に分けられる。カルテＡ領域ｄ１１１は、電子カルテの対象となる患者の患者氏名、性別、患者ＩＤ等の患者に関する入力領域である。カルテＢ領域ｄ１１２は、所見、観察結果、診断、これらかの治療計画等、診察に関する入力領域である。【００５８】
医用画像の表示領域ｄ１２は、医用画像の画像領域ｄ１２１、画像処理のツール領域ｄ１２２、付帯情報の表示領域ｄ１２３に分けられる。医用画像の画像領域ｄ１２１は、画像サーバ１０から配信された医用画像を表示するための領域である。画像処理のツール領域ｄ１２２は、医用画像に対し、線画や文字を合成するための描画ツールｄ３１、画像の操作を行うための画像ツールｄ３２、拡大／縮小ツールｄ３３、階調変換処理を行うための階調ツールｄ３４を含む。【００５９】
画像サーバ１０から配信される医用画像はＪＰＥＧやＰＤＦ等のデータではないので、電子カルテ端末４０では配信された医用画像について、階調処理や拡大縮小等の画像処理が可能である。これら画像処理を行うための操作手段が各ツールｄ３１〜ｄ３４である。
描画ツールｄ３１は線画、文字等、合成する対象を指定するためのキーからなる。画像ツールｄ３２は回転や位置の移動、トリミング、サムネイル画像の貼付等を指示操作するためのキーからなる。また、拡大／縮小ツールｄ３３は拡大又は縮小の選択キーと、その倍率の入力領域からなる。階調ツールｄ３４はコントラストの調整バーにより所望の階調を選択可能となっている。参照医は画像領域ｄ１２１に表示された医用画像の画像処理を行いたい場合にはこれらツールｄ３１〜ｄ３４により画像処理の種類及び画像処理条件の指定操作を行う。【００６０】
付帯情報の表示領域ｄ１２３には、医用画像の付帯情報（図６Ａ〜図６Ｅ参照）の一部が抽出されて表示されている。なお、当該表示領域ｄ１２３に詳細キーを設け、この詳細キーの操作によりその他の付帯情報を参照できるような構成としてもよい。【００６１】
また、医用画像の表示領域ｄ１２には、画像領域ｄ１２１に表示されている医用画像の読影レポートを表示するよう指示するための読影レポートキーｄ１２４が設けられている。参照医は医用画像について読影レポートを参照したい場合にはこの読影レポートキーｄ１２４を操作する。【００６２】
上記カルテ画面ｄ１において、各ツールｄ３１〜ｄ３４の操作によって画像処理が指示されると、制御部４１は医用画像に対し指定された画像処理条件で指定された画像処理を施す。画像処理された医用画像は、制御部４１の制御により表示部４３上に表示される（ステップＳ９）。【００６３】
次いで、読影レポートキーｄ１２４の操作がなされると、制御部４１は当該医用画像と対応して画像サーバ１０から配信された読影レポートの付帯情報を読み出し、当該付帯情報と、記憶部４４に記憶されているオーダ情報とを照合して、読影レポートがオーダ情報に応じたものであるか否かを判断する（ステップＳ１１）。医用画像の付帯情報はオーダ情報と一致するはずであり、医用画像とその読影レポートとは同一の付帯情報が付帯されていることから、読影レポートが表示された医用画像についての真の読影レポートであれば、オーダ情報と読影レポートの付帯情報とは一致するはずである。読影レポートが異なる医用画像のものであったりする場合には、その付帯情報とオーダ情報とは不一致のところが生じる。【００６４】
なお、読影レポートがオーダ情報で指示された患者のものかどうかを確認するためには、例えば患者ＩＤ、患者氏名等の項目を照合すればよい。一方、読影レポートがオーダ情報で指示した通りに読影がなされているかどうか、内容的な確認を行う場合には、例えばオーダ情報の検査情報Ｈ２に含まれる読影担当医師名と、付帯情報のレポート詳細情報Ｈ５に含まれるレポート担当医師名を照合すればよい。
オーダ情報と付帯情報とが不一致の場合は（ステップＳ１１；不一致）、その判断結果として制御部４１はオーダ情報に応じた読影レポートではない旨を示すエラーメッセージを生成し、表示部４３上に表示させると（ステップＳ１０）、本処理を終了する。【００６５】
一方、オーダ情報と付帯情報とが一致する場合（ステップＳ１１；一致）、制御部４１は配信された読影レポートは表示された医用画像に対応する真の読影レポートであると判断し、その判断結果を示すため、当該読影レポートを表示部４３上に表示させる（ステップＳ１２）。【００６６】
その後、入力領域ｄ１１１においてカルテの入力がなされると、制御部４１は電子カルテ画面で入力された入力情報、貼り付けられた医用画像のサムネイル画像等から電子カルテを作成する（ステップＳ１３）。作成した電子カルテを参照用ＤＢ４６に保存すると、本処理を終了する。【００６７】
以上のように、本実施形態によれば、医用画像の生成、読影等、医用画像に関するオーダ情報を電子カルテ端末４０において生成、保存する。画像サーバ１０ではオーダ情報に基づいて医用画像の付帯情報を生成し、医用画像及び付帯情報を電子カルテ端末４０に配信する。よって、電子カルテ端末４０では、医用画像の付帯情報とオーダ情報とを照合することにより、医用画像が要求した患者のものであるかどうか、その医用画像の真偽を判断することができる。また、オーダ情報によって指示した通りの医用画像が得られたか否かを判断することができる。【００６８】
従来の電子カルテ端末ではＪＰＥＧ等の軽量で簡易に表示が可能なデータ形式に変換された医用画像が配信されていた。ＪＰＥＧ画像のみが配信されるため、電子カルテ端末側の参照医はＪＰＥＧ画像に関して依頼した患者のものなのか、どのような撮影条件で得られたのか等を知ることができなかった。
しかし、上述のように本実施形態によれば電子カルテ端末４０へは圧縮等せずに医用画像を配信するので、その付帯情報を付帯させて配信することができる。付帯情報はオーダ情報を基にＤＩＣＯＭ規格に従って生成されるので、これを電子カルテ端末４０において保持しているオーダ情報と照合することにより、真偽の判断が可能となる。【００６９】
また、電子カルテ端末４０では、画像サーバ１０から取得した医用画像とともにその付帯情報を表示するので、参照医は電子カルテの作成画面ｄ１上で医用画像及び付帯情報を参照することができる。よって、参照医は付帯情報から医用画像がどのような撮影条件で撮影されたのか、指示通りに撮影されているのかどうか等を容易に確認することができる。【００７０】
また、医用画像については、電子カルテの作成画面ｄ１上で画像処理が可能である。従って、参照医は参照しやすい画像状態とするため、又は電子カルテに利用しやすい画像を作成するため等、様々な目的に応じて医用画像の画像処理を行うことが可能となる。特に、別途医用画像の表示、画像処理に応じたソフトウェアを起動することなく、電子カルテの機能と一体的に行うことができるため、参照医の作業効率が向上する。【００７１】
また、電子カルテ端末４０ではオーダ情報において読影に関する指示も可能であり、画像サーバ１０では読影端末２０において生成された読影レポートに、対応する医用画像の付帯情報を付帯させる。よって、電子カルテ端末４０において画像サーバ１０から配信された読影レポートの付帯情報と、電子カルテ端末４０において保持しているオーダ情報とを照合することにより、読影レポートが要求した医用画像の読影レポートであるかどうかその真偽を判断することができるとともに、読影レポートが指示したとおりに読影され、作成されたものかどうかを判断することができる。【００７２】
また、付帯情報の表示により、参照医は読影レポートが指示したとおりに読影されて作成されているかどうか等を容易に確認することができる。例えば、読影日時や読影レポートを承認した承認医師名等の情報が付帯情報に含まれていれば、これらを参照することにより、指定した日時までに読影が行われたか、指示した医師によって読影レポートが承認されたかどうか等を確認することができる。【００７３】
また、画像サーバ１０から電子カルテ端末４０へは、通常医用画像の通信について用いられるＤＩＣＯＭによるプロトコルではなく、Ｗｅｂ通信によるプロトコルによって医用画像を配信する。これにより、画像サーバ１０と電子カルテ端末４０間をＤＩＣＯＭに応じたシステム構成とする必要がなく、簡易かつ低コストのシステム構成とすることができる。
【産業上の利用性】
【００７４】
医用画像を取り扱う分野において利用することが可能である。
【符号の説明】
【００７５】
１  医用画像システム
１０  画像サーバ
１１  制御部
１４  保存用ＤＢ
２０  読影端末
３０  モダリティ
４０  電子カルテ端末
４１  制御部
４２  操作部
４３  表示部
４６  参照用ＤＢ
【図１】
2008090676.tif 000003
【図２】
2008090676.tif 000004
【図３】
2008090676.tif 000005
【図４】
2008090676.tif 000006
【図５】
2008090676.tif 000007
【図６Ａ】
2008090676.tif 000008
【図６Ｂ】
2008090676.tif 000009
【図６Ｃ】
2008090676.tif 000010
【図６Ｄ】
2008090676.tif 000011
【図６Ｅ】
2008090676.tif 000012
【図７】
2008090676.tif 000013
【国際調査報告】
2008090676.tif 000014
2008090676.tif 000015